(57)【要約】      （修正有）【課題】適用可能なペットの大きさの範囲を拡大することのできるペット用スリングを提供する。【解決手段】ペットを包囲した状態でペットを吊り下げることのできるペット用スリング１００であって、前後方向に延びる形状を有し、ペットの４本の脚を夫々受け入れる４つのスリット１１２、１１４と、各スリットの深部を残して残部を閉じるためのフラップ１２０と、フラップの先端に取り付けられたファスナ１２２とを有する。【選択図】図４
0003206364.tif 000002
【実用新案登録請求の範囲】
【請求項１】
テーブルの上方域に配置された水平アームに係止することによりペットを包囲した状態でペットを吊り下げることのできるペット用スリングであって、
ペットの４本の脚を夫々受け入れる４つのスリットであって、各スリットが前後方向に延びる形状を有するスリットと、
各スリットの深部を残して残部を閉じるためのフラップと、
該フラップの先端に取り付けられたファスナとを有することを特徴とするペット用スリング。
【請求項２】
前記スリットが形成されたスリング本体と、
該スリング本体とは別に、前記各フラップを構成する一つの可撓性フラップ形成部材とを有し、
該フラップ形成部材の長手方向中央部分だけが前記スリング本体に縫い付けられ、
合計４つの前記フラップの近傍が前記スリング本体に縫い付けられていない、請求項１に記載のペット用スリング。
【請求項３】
ペットの頭部に相当する部分に透明窓を更に有する、請求項１又は２に記載のペット用スリング。
【請求項４】
前記スリングの内側に取り付けられ、ペットの胴体を固定するための内側固定ベルトを更に有する、請求項１〜３のいずれか一項に記載のペット用スリング。
【請求項５】
前記水平アームに固定される部分が、対象となるペットの頭部を除く部分の長さと等しい、請求項１〜４のいずれか一項に記載のペット用スリング。
【請求項６】
前記スリングの外側に取り付けられ、前記水平アームに掛け渡すことのできる長さ調整可能な外側中央ベルトを更に有し、
該外側中央ベルトによって、前記スリングを実質的に前記水平アームに固定することができる、請求項１〜５のいずれか一項に記載のペット用スリング。
【請求項７】
前記スリットが前記スリングの前端縁又は後端縁の少なくともいずれか一方に開口している、請求項１〜６のいずれか一項に記載のペット用スリング。
【考案の詳細な説明】
【技術分野】
【０００１】
本考案は、犬、猫などのペットのトリミング、治療の際に用いられるスリングに関する。
【背景技術】
【０００２】
ペットのトリミングや治療にペット載置テーブルが用いられている。特許文献１は、電動でテーブルの高さ位置を調整することのできるペット載置テーブルを開示している。特許文献２は、手動でテーブルの高さ位置を調整することのできるペット載置テーブルを開示している。
【０００３】
ペット載置テーブルを用いることにより、獣医師やトリマは立った姿勢で診療やトリミングを行うことができる。特許文献２は、テーブルの上方域を横断する水平アームを開示している。この水平アームは高さ調整可能である。水平アームには、その長手方向に間隔を隔てて複数のハーネス位置決め部を有している。ペットに装着したハーネスに連なるリードを水平アームのハーネス位置決め部に係止することで、ペットがテーブルから落下するのを防止することができる。
【０００４】
治療やトリミングの処置において、ペットが獣医師やトリマに咬みつくことがある。この咬みつきに伴って獣医師やトリマが怪我をするのを防止するためにサポータが提案されている（特許文献３）。このサポータは好ましくはシリコンゴムで構成され、腕に巻いて使用することを提案している。
【０００５】
この明細書の添付の図８は市販のペット用スリングを示す。図８を参照して従来のスリングを説明すると、従来のスリング１０は、ペットの胴体を受ける本体１２に４つの穴１４を有し、この４つの穴１４を通じてペットの前脚及び後脚を外部に露出することができる。スリング１０は、本体１２の四隅から延びる細長い延長部１６を有し、各延長部１６の先端が、上述した水平アーム２０に係止される。ペットＰは4本の脚Ｌ及び頭部Ｈを出した状態でスリング１０によって吊り下げられた状態になる。
【先行技術文献】
【特許文献】
【０００６】
【特許文献１】特開２００３−１８０１８４号公報
【特許文献２】特開２０１４−１８１６８号公報
【特許文献３】実用新案登録第３１０２７９９号公報
【考案の概要】
【考案が解決しようとする課題】
【０００７】
図８に図示の市販のスリング１０は穴１４の位置が固定されているため、大型犬用、中型犬用、小型犬用、超小型犬用というようにペットＰの大きさによって複数種類のスリングを予め用意しておく必要がある。また、頭部が露出して自由に動かすことができるため、咬みつき事故が発生する可能性を含んでいる。
【０００８】
本考案の目的は、適用可能なペットの大きさの範囲を拡大することのできるペット用スリングを提供することにある。
【０００９】
本発明の更なる目的は、適用可能なペットの大きさの範囲を拡大しつつ、ペットの咬みつき事故を未然に防止することのできるペット用スリングを提供することにある。
【課題を解決するための手段】
【００１０】
上記の技術的課題は、本考案によれば、
テーブルの上方域に配置された水平アームに係止することによりペットを包囲した状態でペットを吊り下げることのできるペット用スリングであって、
ペットの４本の脚を夫々受け入れる４つのスリットであって、各スリットが前後方向に延びる形状を有するスリットと、
各スリットの深部を残して残部を閉じるためのフラップと、
該フラップの先端に取り付けられたファスナとを有することを特徴とするペット用スリングを提供することにより達成される。
【００１１】
すなわち、ペットの4本の脚を夫々のスリットの中に入れ、フラップでスリットを閉じることでペットの各脚を拘束することができる。そしてフラップを固定する位置を調整することで、ペットのサイズに適合した脚の固定が可能になる。
【００１２】
本発明の好ましい実施例では、ペットの頭部が位置する部位に透明な窓が用意される。換言すれば、ペットは、その頭部までスリングで包囲されることから噛み付き事故を未然に防止できるだけでなく、ペットは窓を通じて外部を見ることができるためペットに安心感を与えることができる。
【００１３】
本考案の他の目的や作用効果の詳細は、以下の実施例の詳しい説明から明らかになろう。
【図面の簡単な説明】
【００１４】
【図１】実施例のスリングを使ってテーブルの水平アームにペットを係止した状態を説明するための図である。
【図２】実施例のスリングの展開図であり、スリングの内側の構造を示す図である。
【図３】実施例のスリングの展開図であり、スリングの外側の構造を示す図である。
【図４】実施例のスリングの展開図であり、図３と同様にスリングの外側の構造を示し且つペットの脚を受け入れる穴を規定するフラップを反転した状態を示す図である。
【図５】実施例のスリングをテーブルの水平アームに取り付ける工程を説明するための図である。
【図６】図５と同様に、実施例のスリングをテーブルの水平アームに取り付ける工程を説明するための図であり、フラップを反転した状態で図示してある。
【図７】変形例のスリングを示す、図３に対応する図である。
【図８】従来のペット用スリングの図であり、このスリングの使用状態を説明するための図である。
【考案を実施するための形態】
【実施例】
【００１５】
以下に、添付の図面に基づいて本考案の好ましい実施例を説明する。
【００１６】
図１は、本考案の実施例に係るスリング１００の使用状態を示す図である。図１において、参照符号１０２はテーブルを示す。テーブル１０２は手動により高さ調整可能である。テーブル１０２には、その上方域を横断する水平アーム１０４が取り外し可能に取り付けられている。参照符号１０６はクランパ兼取付部材を示す。水平アーム１０４は一対の垂直支柱104eを有し、この一対の垂直支柱１０４eが一対のクランパ兼取付部材１０６によってテーブル１０２に固定され、また、水平アーム１０４の高さ位置を調整することができる。
【００１７】
実施例に係るスリング１００によって包囲された状態のペットＰは、実質的に水平アーム１０４に係止された状態になる。ペットＰは、スリング１００から従来と同様に４本の脚Ｌを露出することができる。図１において、ペットＰの脚Ｌがテーブル１０２から離れた状態（ペットＰが完全に吊り下げられた状態）に描かれているが、水平アーム１０４の高さ位置を調整することにより、ペットＰの脚Ｌがテーブル１０２に接した状態にすることが可能である。
【００１８】
スリング１００は、ペットＰの頭部Ｈを覆うことのできる前後長さを有している。ここに前後長さとは、スリング１００をペットＰに装着した状態を基準に定義される。スリング１００で固定されたペットＰの頭部から尾部に至る体軸の方向を前後長さと定義する。
【００１９】
スリング１００は、ペットＰの頭部Ｈが位置する部位に窓１０８を有し、この窓１０８は可撓性の透明フィルムで構成されている。
【００２０】
図２及び図３はスリング１００の展開図である。図２は、スリング１００の内側の構造を示す。図３は、スリング１００の外側の構造を示す。図２及び図３には、Ｘ方向と、これに直交するＹ方向を図示してある。Ｘ方向は前後方向を意味する。Ｙ方向は幅方向を意味する。
【００２１】
図２、図３を参照して、スリング１００は矩形のスリング本体１１０を有する。スリング本体１１０は可撓性材料で作られている。好ましくは、スリング本体１１０は撥水性の材料で作られるのがよい。スリング本体１１０の前端部において、スリング本体１１０は、その両側に一対の透明窓１０８を有する。
【００２２】
スリング本体１１０は、その幅方向中央部分において２組の前後方向に延びるスリット１１２、１１４を有する。第１組のスリット１１２は、スリング本体１１０の前端縁に好ましくは開口し且つ後方に向けて延びる２本のスリット１１２Ｒ、１１２Ｌで構成されている。第２組のスリット１１４は、スリング本体１１０の後端縁に好ましくは開口し且つ前方に向けて延びる２本のスリット１１４Ｒ、１１４Ｌで構成されている。
【００２３】
スリング本体１１０の前側に位置する第１組のスリット１１２Ｒ、１１２Ｌは前脚用であり、前述したように、スリング本体１１０の前端から後方に向けて延びている。他方、スリング本体１１０の後側に位置する第２組のスリット１１４Ｒ、１１４Ｌは後脚用であり、前述したように、スリング本体１１０の後端から前方に向けて延びている。
【００２４】
図３を参照して、スリング本体１１０の外側には、スリング本体１１０の幅方向中央部分において、前端から後端に亘って前後方向に延びる可撓性フラップ形成部材１１６が縫い付けられている。この可撓性フラップ形成部材１１６によって、各スリット１１２Ｒ、１１２Ｌ、スリット１１４Ｒ、１１４Ｌの深部１１８（図５）を除く外側部分を閉じることができる。すなわち、可撓性フラップ形成部材１１６は、各スリット１１２Ｒ、１１２Ｌ、スリット１１４Ｒ、１１４Ｌに対応した４つのフラップ１２０を有し、各フラップ１２０の先端部に第１組のファスナを構成する一つの面ファスナ１２２が縫い付けられている。図４は、図３と同様にスリング１００の外側の構造を示している。図４では、フラップ１２０が反転した状態で図示してある。この面ファスナ１２２と係合する面ファスナ１２４がスリング本体１１０の外側面に縫い付けられている。この２つの面ファスナ１２２、１２４が第１組のファスナを構成している。
【００２５】
図３、図４において、可撓性フラップ形成部材１１６をスリング本体１１０に縫い付けた部分を×印で図示してある。図３、図４から直ちに理解できるように、図３、図４に図示の実施例では、可撓性フラップ形成部材１１６の長手方向一端部から他端部まで縫い付けてある。すなわち、スリング本体１１０のＸ方向（前後方向）の一端部から他端部まで可撓性フラップ形成部材１１６を縫い付けてある。
【００２６】
可撓性フラップ形成部材１１６の縫い付け部分に関する変形例として、図７に図示のように、可撓性フラップ形成部材１１６の長手方向中央部分だけ縫い付けるようにしてもよい。すなわち、フラップ１２０に隣接した部位は縫い付けられていない。例えば、相対的に小型のペットにスリング１００を装着する場合、ペットの4本の脚Ｌは、各スリット１１２Ｒ、１１２Ｌ、スリット１１４Ｒ、１１４Ｌの深部１１８（図５）に位置することになる。この場合に、各フラップ１２０をスリット１１２Ｒ、１１２Ｌ、スリット１１４Ｒ、１１４Ｌの極力深部に近づけるように固定することで、相対的に小型のペットの脚Ｌ周りの遊びを小さくすることができる。
【００２７】
図２を参照して、スリング本体１１０の内側面には、その中央部分において幅方向に延びる内側固定ベルト１３０を有する。後に説明するように、この内側固定ベルト１３０を使ってペットＰの胴体をスリング本体１１０に対して拘束することができる。
【００２８】
図２、図３を参照して、スリング１００は、スリング本体１１０の中央部分において、スリング本体１１０の両側縁から延出する第１、第２の延長部１３２、１３４を有する。第１、第２の延長部１３２、１３４の前後方向長さは対象となるペットＰの胴部の長さ、つまり頭部Ｈを除く部分の長さとほぼ等しいのが良い。図２を参照して、第１の延長部１３２の内側面には、第２組のファスナを構成する２つの面ファスナ１３６、１３８が幅方向に離間して縫い付けられている。
【００２９】
第２の延長部１３４の端部には、第３組のファスナを構成する一つの面ファスナ１４０が縫い付けられている。この第３組のファスナを構成する他の面ファスナ１４２は、第２の延長部１３４の基端部分の外側面に縫い付けられている（図３）。
【００３０】
図３を参照して、スリング本体１１０の外側面には、スリング本体１１０の中央部分に外側中央ベルト１４６が縫い付けられている。この外側中央ベルト１４６は幅方向に延びている。好ましくは、スリング本体１１０の端にベルト１５０を配置し、この端ベルト１５０によって垂直支柱104eに固定できるようにするのが良い。実施例では、スリング本体１１０の前端及び後端に、夫々、端ベルト１５０Ｆ、１５０Ｒが取付けられている。
【００３１】
図５、図６を参照して、スリング１００の使い方を説明する。ペットＰの４本の脚Ｌをスリット１１２、１１４に挿入する。この時点では、各スリット１１２Ｒ、１１２Ｌ、スリット１１４Ｒ、１１４Ｌに対応した４つのフラップ１２０は固定していない状態つまり反転した状態であるのがよい（図６）。脚Ｌを各スリット１１２Ｒ、１１２Ｌ、スリット１１４Ｒ、１１４Ｌに挿入した後に、４つのフラップ１２０を固定する。
【００３２】
次に、内側固定ベルト１３０をペットＰの胴体に装着する。これによりペットＰの胴体は内側固定ベルト１３０によって拘束されると共に、ペットＰの腹部がスリング本体１１０と当接した状態となる。ペットＰの胴体を内側固定ベルト１３０で拘束した状態でスリング本体１１０とペットＰとを一体化することにより、ペットＰが前脚や後脚を動かしてスリング本体１１０から脱出しようとしても、ペットＰとスリング本体１１０の一体性を維持することができる。
【００３３】
隣接して位置する２つの面ファスナ１３６、１３８によって構成される第２組のファスナを使って第１の延長部１３２を水平アーム１０４に固定する。第１の延長部１３２を水平アーム１０４の周りに掛け渡し、そして面ファスナ１３６、１３８を互いに係合させることにより、第１の延長部１３２を水平アーム１０４に固定することができる。この状態を図５、図６で図示してある。この状態でスリング１００をペットＰに装着するようにしてもよい。
【００３４】
次に、第１の延長部１３２の上に第２の延長部１３４を掛け渡し、第３組の面ファスナ１４０、１４２を係止することで、第２の延長部１３４を実質的に水平アーム１０４に固定する。水平アーム１０４に係止される第１、第２の延長部１３２、１３４は前後方向に長さを有しているため、スリング１００の懸垂状態を安定化することができる。
【００３５】
次に、水平アーム１０４に外側中央ベルト１４６を掛け渡して、この外側中央ベルト１４６によってスリング１００を実質的に水平アーム１０４に固定する。これにより、ペットＰは水平アーム１０４に吊り下げられた状態になる。勿論、外側中央ベルト１４６は長さ調整可能である。これによりペットＰの脚の長さの違いを外側中央ベルト１４６によって調整することができる。
【００３６】
次に、必要に応じて、端ベルト１５０Ｆ及び／又は１５０Ｒを垂直支柱104eに固定する。
【００３７】
スリング１００によって側方が包囲されたペットＰは透明窓１０８を通じて周囲を見ることができるものの、頭部Ｈはスリング本体１１０によって包囲されているため、獣医師やトリマを攻撃することは不可能である。
【符号の説明】
【００３８】
１００  実施例のスリング
Ｐ  ペット
１０８  窓（透明窓）
１１０  スリング本体
１１２  スリット（前脚用）
１１４  スリット（後ろ脚用）
１１６  可撓性フラップ形成部材
１１８  各スリットの深部
１２０  フラップ
１４６  外側中央ベルト
【図１】
0003206364.tif 000003
【図２】
0003206364.tif 000004
【図３】
0003206364.tif 000005
【図４】
0003206364.tif 000006
【図５】
0003206364.tif 000007
【図６】
0003206364.tif 000008
【図７】
0003206364.tif 000009
【図８】
0003206364.tif 000010
【手続補正書】
【提出日】平成28年7月15日(2016.7.15)
【手続補正１】
【補正対象書類名】実用新案登録請求の範囲
【補正対象項目名】請求項４
【補正方法】変更
【補正の内容】
【請求項４】
前記スリング本体の内側に取り付けられ、ペットの胴体を固定するための内側固定ベルトを更に有する、請求項１〜３のいずれか一項に記載のペット用スリング。
【手続補正２】
【補正対象書類名】実用新案登録請求の範囲
【補正対象項目名】請求項６
【補正方法】変更
【補正の内容】
【請求項６】
前記スリング本体の外側に取り付けられ、前記水平アームに掛け渡すことのできる長さ調整可能な外側中央ベルトを更に有し、
該外側中央ベルトによって、前記スリング本体を実質的に前記水平アームに固定することができる、請求項１〜５のいずれか一項に記載のペット用スリング。
【手続補正３】
【補正対象書類名】実用新案登録請求の範囲
【補正対象項目名】請求項７
【補正方法】変更
【補正の内容】
【請求項７】
前記スリットが前記スリング本体の前端縁又は後端縁の少なくともいずれか一方に開口している、請求項１〜６のいずれか一項に記載のペット用スリング。